(57)【要約】【課題】作業が容易な芝の育成方法及びそれで用いられる帯状部材を提供する。【解決手段】一方の側部に互いに嵌合交差可能に所定間隔で複数のスリットが設けられた複数の帯状の第１及び第２部材１０…１０，２０…２０を用いて所定の四角形状の区画Ｓ…Ｓを有する格子状枠体３０を形成し、この枠体３０が地面Ｘに敷設された状態で、この枠体３０の各区画ＳにマットＭを収納し、このマットＭ上で芝Ｙを育成する。その場合、マットＭには、予め芝苗シートＹ１を載置しておく。【選択図】図４
2009142209.tif 000002
【特許請求の範囲】
【請求項１】
所定形状の芝ピースを育成する芝の育成方法であって、
少なくとも一方の側部に互いに嵌合交差可能に所定間隔で複数のスリットが設けられた複数の帯状部材を用いて所定の四角形状の区画を有する格子状枠体を形成し、
該枠体が地面に敷設された状態で、該枠体の各区画にそれぞれ育成基盤用マットを収納し、
該マット上で芝を育成することを特徴とする芝の育成方法。
【請求項２】
前記請求項１に記載の芝の育成方法において、
前記枠体の各区画に、それぞれ予め芝の種子を蒔くか芝苗シートを載置した前記マットを収納することを特徴とする芝の育成方法。
【請求項３】
前記請求項１に記載の芝の育成方法において、
前記枠体の各区画に、それぞれ前記マットを収納したのち、該マットに芝の種子を蒔くか芝苗シートを載置することを特徴とする芝の育成方法。
【請求項４】
前記請求項１から請求項３のいずれか１項に記載の芝の育成方法において、
前記格子状枠体の形成に際し、収納する前記マットの寸法に応じて、前記帯状部材の複数のスリットから嵌合交差させるスリットを選択することを特徴とする芝の育成方法。
【請求項５】
少なくとも一方の側部に所定間隔で複数のスリットが設けられ、前記請求項１から請求項４のいずれか１項に記載の芝の育成方法で用いられることを特徴とする帯状部材。
【発明の詳細な説明】
【技術分野】
【０００１】
本発明は、芝の育成方法及びそれで用いられる帯状部材に関し、植物育成の技術分野に属する。
【背景技術】
【０００２】
照り返しを少なくすることにより特に都市部でのヒートアイランド現象の抑制を図るものとして、例えば屋上緑化がある。その場合に、所定形状の芝を対象床面に敷き詰めることがある。また、芝を育成して所定形状の芝ピースを作製する方法として、例えば特許文献１には、複数の矩形の区画を有する格子状の木製またはプラスチック製枠体を用い、前記区画に保水性を有する軽量土を敷き、芝苗を活着させる方法が開示されている。
【０００３】
【特許文献１】特開２００６−２０４１９０号公報
【発明の開示】
【発明が解決しようとする課題】
【０００４】
ところで、特許文献１に記載の芝の育成方法では、予め複数の区画が形成された大寸法の格子状枠体を育成現場に搬入することになるので、面倒である。また、格子状枠体の各区画に軽量土を一定量ずつ投入し、かつ、各区画について均一にならすのは、面倒である。しかしながら、これを丁寧に行なわないと、得られた芝ピースの品質が不均一になるのである。
【０００５】
そこで、本発明は、作業が容易な芝の育成方法及びそれで用いられる帯状部材の提供を課題とする。
【課題を解決するための手段】
【０００６】
前記課題を解決するため、本発明は次のように構成したことを特徴とする。
【０００７】
まず、請求項１に記載の発明は、所定形状の芝ピースを育成する芝の育成方法であって、少なくとも一方の側部に互いに嵌合交差可能に所定間隔で複数のスリットが設けられた複数の帯状部材を用いて所定の四角形状の区画を有する格子状枠体を形成し、該枠体が地面に敷設された状態で、該枠体の各区画にそれぞれ育成基盤用マットを収納し、該マット上で芝を育成することを特徴とする。
【０００８】
次に、請求項２に記載の発明は、前記請求項１に記載の芝の育成方法において、前記枠体の各区画に、それぞれ予め芝の種子を蒔くか芝苗シートを載置した前記マットを収納することを特徴とする。
【０００９】
一方、請求項３に記載の発明は、前記請求項１に記載の芝の育成方法において、前記枠体の各区画に、それぞれ前記マットを収納したのち、該マットに芝の種子を蒔くか芝苗シートを載置することを特徴とする。なお、請求項２、３において、芝苗シートとは、例えば、不織布等に生長初期の芝の根が活着して略一体化したシート状のものをいう。
【００１０】
また、請求項４に記載の発明は、前記請求項１から請求項３のいずれか１項に記載の芝の育成方法において、前記格子状枠体の形成に際し、収納する前記マットの寸法に応じて、前記帯状部材の複数のスリットから嵌合交差させるスリットを選択することを特徴とする。
【００１１】
そして、請求項５に記載の発明は、帯状部材であって、少なくとも一方の側部に所定間隔で複数のスリットが設けられ、前記請求項１から請求項４のいずれか１項に記載の芝の育成方法で用いられることを特徴とする。
【発明の効果】
【００１２】
まず、請求項１に記載の発明によれば、複数の帯状部材で格子状枠体を形成し、地面に敷設された枠体の各区画にマットを収納することにより、所定形状の芝ピースを育成することができる。
【００１３】
その場合に、育成現場で帯状部材を格子状枠体に組み立てることができることから、現場に例えばロール状に巻回した帯状部材あるいは所定長さに切断された帯状部材を搬入すればよいので、作業は容易である。さらに、格子状枠体の各区画にマットを収納する方法であることから、従来の軽量土を各区画に一定量ずつ投入し、かつ、各区画について均一にならす方法に比較して熟練は要らないので、作業は容易である。
【００１４】
次に、請求項２、３は、マットの収納手順を具体化したものである。特に請求項２に記載の発明によれば、枠体の各区画に、それぞれ予め芝の種子を蒔くか芝苗シートを載置したマットを収納することになる。したがって、マットに芝の種子を蒔いたり芝苗シートを載置したりする作業を、育成現場とは別の場所で行なうことが可能となる。
【００１５】
一方、請求項３に記載の発明によれば、枠体の各区画に、それぞれマットを収納したのち、このマットに芝の種子を蒔くか芝苗シートを載置することになる。したがって、各区画に軽量のマット単体を収納するので、その場合の作業は容易である。
【００１６】
また、請求項４に記載の発明によれば、収納するマットの寸法に応じて複数のスリットから嵌合交差させるスリットを選択し、複数の帯状部材を組み合わせて格子状枠体を形成するので、育成現場で任意の寸法の区画を有する枠体を形成することができる。したがって、出荷寸法の変更に柔軟に対応することができるようになる。
【００１７】
そして、請求項５に記載の発明によれば、少なくとも一方の側部に所定間隔で複数のスリットが設けられた帯状部材を用いることにより格子状枠体を形成することができ、前述した作用効果を奏する芝の育成方法が確実に実現される。
【発明を実施するための最良の形態】
【００１８】
本発明の実施の形態について説明する。
【００１９】
図１、２に示すように、第１の実施の形態に係る芝の育成方法に用いられる２種類の帯状部材１０，２０は、いずれもポリエチレンテレフタレート樹脂（ＰＥＴ樹脂）製のものであり、それぞれ一方の側部に、幅方向の中央まで延びる複数（図例では２つのみ示す）のスリット１１…１１，２１…２１が、図１に示す第１部材１０では、長手方向に所定間隔ｐ１を置いて、一方、図２に示す第２部材２０では、長手方向に所定間隔ｐ２を置いて設けられている。また、各スリット１１，２１の幅寸法ｔは、第１及び第２部材１０，２０の厚みｔ′に略等しい。
【００２０】
なお、第１及び第２部材１０，２０には、前記ポリエチレンテレフタレート樹脂（ＰＥＴ樹脂）の他に、例えば、ポリエチレン樹脂（ＰＥ樹脂）、ポリプロピレン樹脂（ＰＰ樹脂）、ポリカーボネート樹脂（ＰＣ樹脂）、メタクリル樹脂（ＰＭＭＡ樹脂）アクリロニトリル・ブタジエン・スチレン樹脂（ＡＢＳ樹脂）、天然ゴム（ＮＲ）、スチレン・ブタジエンゴム（ＳＢＲ）、クロロプレンゴム（ＣＲ）、ブレンドゴム、エラストマー等が用いられる。
【００２１】
また、第１及び第２部材１０，２０の厚みｔ′は０．５〜５ｍｍ、幅は４〜１０ｃｍ程度とされ、図例では、それぞれ１ｍｍ、５５ｍｍとされている。そして、材質、厚み等を選択することにより、長さ１００ｍ程度の第１及び第２部材１０，２０をロール状に巻き取ることができ、その場合には育成現場への運搬効率に優れるものとなる。さらに、スリット１１，２１の設置間隔ｐ１，ｐ２は、１０〜５０ｃｍ程度とされ、図例では、それぞれ約３０ｃｍ、約４０ｃｍとされている。
【００２２】
また、第１及び第２部材１０，２０の製造には、例えば、一般的に生産性に優れた連続押出成形が適用可能である。長尺の中間部材を押出成形したのち、スリット加工を施して得た第１及び第２部材１０，２０を、ロール状に巻き取ればよい。なお、この方法に限らず、前述した構成の第１及び第２部材１０，２０を得ることができる各種の製造方法が適用可能である。
【００２３】
図３に示すように、枠体３０は、複数の第１部材１０…１０と複数の第２部材２０…２０とを用いて、平面視で長方形状の複数の区画Ｓ…Ｓを有する格子状に組み立てられたものである。この場合、第１部材１０…１０と第２部材２０…２０とを、第１部材１０…１０の下方を向くスリット１１…１１と第２部材２０…２０の上方を向くスリット２１…２１とを介して嵌合交差させることにより、図例上、縦寸法ａ１が第１部材１０のスリット１１の設置間隔ｐ１に近い約３０ｃｍ、横寸法ａ２が第２部材２０のスリット２１の設置間隔ｐ２に近い約４０ｃｍとされた区画Ｓが形成されている。
【００２４】
次に、芝の育成方法につき、育成現場における作業例を通して説明する。
【００２５】
まず、それぞれ所定長さに切断された複数の第１及び第２部材１０…１０，２０…２０を、スリット１１…１１，２１…２１を介して嵌合交差させて、図３に示した格子状枠体３０を組み立てる。このような構成の枠体３０は、水平方向に折り畳んで嵩張らないようにすることができるので、保管や運搬に便利である。そして、図４（ａ）に示すように、複数の第１及び第２部材１０…１０，２０…２０を用いて形成されて複数の区画Ｓ…Ｓを有する枠体３０を、整地された地面Ｘに敷設する。
【００２６】
次いで、図４（ｂ）に示すように、地面Ｘに敷設された前記枠体３０の各区画Ｓに、予め芝苗シートＹ１が載置された所定形状の育成基盤用のマットＭを収納する。この場合、マットＭは籾殻マットであり、良好な保水性と形状保持性とを有している。なお、芝苗シートＹ１には、例えば、不織布等に生長初期の芝Ｙの根が活着して略一体化したシート状のものが適用可能である。
【００２７】
また、図例のマットＭは、枠体３０の区画Ｓに収納可能に、縦寸法が約３０ｃｍ、横寸法が約４０ｃｍ、厚み寸法が約３５ｍｍとされている。その場合、厚み寸法は、育成後の芝Ｙの根が、マットＭの下面から下方に突出しない寸法である。なお、マットＭには、前述した籾殻マットの他に、雑綿マット等も好ましく適用可能である。
【００２８】
そして、図４（ｃ）に示すように、適宜の育成期間後には、地面Ｘに敷設された前記枠体３０の各区画Ｓに収納された芝Ｙは、生長すると共にマットＭ内にしっかりと根を張るようになる。マットＭと育成後の芝Ｙとで一体化されてなる芝ピースＹ２は、例えば屋上緑化に好適であり、対象床面に整然と密着して敷き詰めることができることから、優れた美観が得られる。
【００２９】
その場合、前述したように、育成後の芝Ｙの根は、マットＭの下面から下方に突出して地面Ｘに進出するには至らない。また、第１及び第２部材１０，２０の幅寸法つまり図例における高さ寸法を適切に設定すれば、第１及び第２部材１０，２０により芝Ｙの根の横方向の進出が規制されるので、第１及び第２部材１０，２０を隔てて隣接するもの同士の根の絡み合いは防止される。したがって、育成後に枠体３０からマットＭと芝Ｙとでなる芝ピースＹ２を回収する際には、芝Ｙの根は地面Ｘに進出して根を張っていないので、また、隣接するマットＭ方向に進出して絡み合っていないので、芝ピースＹ２を相互に分離する手間が軽減される。
【００３０】
以上のように構成したことにより、まず、一方の側部に所定間隔ｐ１，ｐ２で複数のスリット１１…１１，２１…２１が設けられた複数の帯状の第１及び第２部材１０…１０，２０…２０で格子状枠体３０を形成し、地面Ｘに敷設された枠体３０の各区画ＳにマットＭを収納することにより、所定形状の芝ピースＹ２を育成することができる。
【００３１】
その場合に、育成現場で第１及び第２部材１０…１０，２０…２０を格子状枠体３０に組み立てることができることから、現場には例えばロール状に巻回した第１及び第２部材１０…１０，２０…２０あるいは所定長さに切断した第１及び第２部材１０…１０，２０…２０を搬入すればよいので、作業は容易である。さらに、格子状枠体３０の各区画ＳにマットＭを収納する方法であることから、従来の軽量土を各区画Ｓに一定量ずつ投入し、かつ、各区画Ｓについて均一のならす方法に比較して熟練は要らないので、作業は容易である。
【００３２】
また、枠体３０の各区画Ｓにそれぞれ予め芝苗シートＹ１を載置したマットＭを収納することになる。したがって、マットＭに芝苗シートＹ１を載置する作業を、育成現場とは別の場所で行うことが可能となる。
【００３３】
次に、本発明の第２の実施の形態について説明する。なお、前述した第１の実施の形態と共通する構成要素については、同じ符号を用いることにする。
【００３４】
この場合には、前記第１の実施の形態とは異なり、第１及び第２部材１０…１０，２０…２０を用いて形成された格子状枠体３０の各区画Ｓに、マットＭが単体で収納されたのち、このマットＭに芝苗シートＹ１が載置される。
【００３５】
以上のように構成したことにより、この方法によっても、前述したと同様に作業は容易である。また、枠体３０の各区画Ｓに、それぞれマットＭを収納したのち、このマットＭに芝苗シートＹ１を載置することになる。したがって、各区画Ｓに軽量のマットＭ単体を収納するので、その場合の作業は容易である。
【００３６】
次に、本発明の第３の実施の形態について説明する。なお、前述した第１の実施の形態と共通する構成要素については、同じ符号を用いることにする。
【００３７】
図５に示すように、用いられる第２部材２０Ａは、一方の側部に、幅方向の中央まで延びる複数（図例では３つのみ示す）のスリット２１Ａ…２１Ａが、長手方向に所定間隔ｐ３を置いて設けられている。この場合のスリット２１Ａの設置間隔ｐ３は、前記第１の実施の形態における第２部材２０に比較して狭く、具体的には約１０ｃｍとされている。
【００３８】
そして、図６に示すように、複数の第２部材２０Ａ…２０Ａと前記第１の実施の形態におけると同様の複数の第１部材１０…１０とを用い、一例として第２部材２０Ａのスリット２１Ａ…２１Ａの中から４つ置きにスリット２１Ａ…２１Ａを選択した上で、上向きの当該スリット２１Ａ…２１Ａと第１部材１０の下向きのスリット１１…１１とを介して嵌合交差させることにより、格子状枠体３０Ａが形成されている。この場合には、結果的に第１の実施の形態の枠体３０におけると等しい縦寸法ａ１と横寸法ａ２とにされた長方形状の区画Ｓが得られることになる。なお、前記縦寸法ａ１は約３０ｃｍ、横寸法ａ２は約４０ｃｍである。
【００３９】
一方、図７に示すように、今度は第２部材２０Ａのスリット２１Ａ…２１Ａの中から３つ置きにスリット２１Ａ…２１Ａを選択した上で、当該スリット２１Ａ…２１Ａと第１部材１０のスリット１１…１１とを介して嵌合交差させると、図６におけると等しい縦寸法ａ１とこの縦寸法ａ１に等しい横寸法ａ１とされた正方形状の区画Ｓ′を有する格子状枠体３０Ａ′が形成されることになる。なお、このような第１及び第２部材１０，２０Ａないし格子状枠体３０Ａ，３０Ａ′を用いた芝Ｙの育成方法は、前記第１あるいは第２の実施の形態におけると同様であるので、説明を省略する。
【００４０】
以上のように構成したことにより、前記第１の実施の形態において得られたと同様の作用が得られる。その上で、収納するマットＭの寸法に応じて複数のスリット２１Ａ…２１Ａから嵌合交差させるスリット２１Ａ…２１Ａを選択し、複数の帯状の第１及び第２部材１０…１０，２０Ａ…２０Ａを組み合わせて格子状枠体３０Ａ，３０Ａ′を形成するので、育成現場で任意の寸法の区画Ｓ，Ｓ′を有する枠体３０Ａ，３０Ａ′を形成することができる。したがって、出荷寸法の変更に柔軟に対応することができるようになる。
【００４１】
さらに、従来は、出荷形状に合わせた格子状枠体を各種備えておかねばならないことから、枠体の保管スペースが広くなったり、枠体の保管管理が面倒であったりするが、第３の実施の形態に係る第１及び第２部材１０，２０Ａを用いることにより、前記問題は生じない。
【００４２】
なお、本発明は、具体的に詳述した前記実施の形態に限定されない。
【００４３】
例えば、前記第１〜３の実施の形態では、マットＭに芝苗シートＹ１を載置したが、マットＭに芝Ｙの種子を蒔いて付着させてもよい。
【００４４】
また、前記第３の実施の形態では、第１部材１０と第２部材２０Ａとでスリット１１，２１Ａの設置間隔ｐ１，ｐ３を異ならせていたが、スリット２１Ａが下向きとなるようにした複数の第２部材２０Ａ…２０Ａと上向きとなるようにした複数の第２部材２０Ａ…２０Ａとで格子状枠体を組み立てるようにしてもよい。この場合には、部材の共通化を図ることができる。その上で、嵌合交差させるときのスリット２１Ａ…２１Ａを適宜選択することにより、一層柔軟に任意の寸法の区画を得ることができる。
【００４５】
そして、前記第１〜３の実施の形態では、第１及び第２部材１０，２０，２０Ａは、一方の側部にスリット１１…１１，２１…２１，２１Ａ…２１Ａが設けられていたが、上下側部に所定間隔を置いて交互にスリットを設けた構成としてもよい。このような第１及び第２部材を用いて組み立てられた格子状枠体は、第１及び第２部材が千鳥状に編むように強固に組み立てられているので、不用意に外力が作用しても第１及び第２部材は互いにばらけることがなくなり、枠体形状が安定して維持されるようになる。
【産業上の利用可能性】
【００４６】
以上説明したように、本発明によれば、作業が容易な芝の育成方法及びそれで用いられる帯状部材が提供され、本発明は、植物育成の技術分野に広く好適である。
【図面の簡単な説明】
【００４７】
【図１】本発明の第１の実施の形態に係る第１部材の一部を示す斜視図である。
【図２】同じく第２部材の一部を示す斜視図である。
【図３】同じく枠体の一部を示す平面図である。
【図４】同じく芝の育成方法の一例を説明するための要部断面図で、（ａ）は地面に枠体を敷設した様子、（ｂ）は枠体の各区画に芝苗シートが載置されたマットを収納した様子、（ｃ）は芝を育成した様子を示す。
【図５】本発明の第３の実施の形態に係る第２部材の一部を示す斜視図である。
【図６】同じく枠体の一部を示す平面図である。
【図７】同じく寸法を変更した枠体の一部を示す平面図である。
【符号の説明】
【００４８】
１０            第１部材（帯状部材）
１１            スリット
２０，２０Ａ    第２部材（帯状部材）
２１，２１Ａ    スリット
３０，３０Ａ，３０Ａ′    格子状枠体
Ｍ              マット
ｐ１，ｐ２，ｐ３          所定間隔
Ｓ，Ｓ′        区画
Ｘ              地面
Ｙ              芝
Ｙ１            芝苗シート
Ｙ２            芝ピース
【図１】
2009142209.tif 000003
【図２】
2009142209.tif 000004
【図３】
2009142209.tif 000005
【図４】
2009142209.tif 000006
【図５】
2009142209.tif 000007
【図６】
2009142209.tif 000008
【図７】
2009142209.tif 000009